(57)【要約】【課題】  店舗等に設置したプリンタによるプリント終了が、利用者へ速やかに通知されるようにした携帯型情報通信装置を提供する。【解決手段】  写真店等の店舗に設置され、外部からの画像データに基づいたプリントを行うプリンタ１２は、ブルートゥースにより携帯型情報通信機器１０との通信が行える。カメラ機能付きの携帯型情報通信機器１０から電話番号および画像データをブルートゥースによりプリンタ１２へ伝送すると、プリンタ１２は、受信した画像データに基づいてプリントを実行した後、プリントの終了をもって前記電話番号宛に終了通知をブルートゥースまたは携帯電話基地局１４を通して発信する。これに対して、携帯型情報通信機器１０は、プリンタ１２からの距離に応じて、ブルートゥースまたは携帯電話基地局１４のいずれかから終了通知を受信する。【選択図】        図１
2006186942.tif 000002
【特許請求の範囲】
【請求項１】
画像等の記録データを格納する記憶部と、
前記記録データと、前記記録データの処理内容および処理完了後の通知に関する連絡先情報とを送信先に出力し、前記送信先から処理完了の通知を前記連絡先情報に基づく通信経路で受信する通信部とを有することを特徴とする携帯型情報通信装置。
【請求項２】
前記通信部は、前記記録データおよび前記連絡先情報の送信時の通信経路と同一の通信経路を介して前記送信先から前記処理完了の通知を入力する請求項１に記載の携帯型情報通信装置。
【請求項３】
前記通信部は、前記記録データおよび前記連絡先情報の送信時の通信経路と異なる通信経路を介して前記送信先から前記処理完了の通知を入力する請求項１に記載の携帯型情報通信装置。
【請求項４】
前記通信部は、前記連絡先情報として前記処理完了の通知を受信する複数の通信経路についての情報を送信先に出力する請求項１に記載の携帯型情報通信装置。
【請求項５】
前記通信部は、無線通信に基づいて前記送信先に前記記録データおよび前記連絡先情報を出力する請求項１に記載の携帯型情報通信装置。
【請求項６】
前記通信部は、前記送信先と接続可能に構成されるメモリに前記記録データおよび前記連絡先情報を出力する請求項１に記載の携帯型情報通信装置。
【請求項７】
前記通信部は、公衆電話回線を介して前記送信先から前記処理完了の通知を入力する請求項１に記載の携帯型情報通信装置。
【発明の詳細な説明】
【技術分野】
【０００１】
本発明は、携帯電話等の携帯型情報通信装置に関し、特に、店舗等に設置したプリンタによるプリントの終了が、利用者へ速やかに通知されるようにした携帯型情報通信装置に関する。
【背景技術】
【０００２】
近年、携帯電話の普及が進み、多様なユーザの要望に応じて多機能化が図られている。例えば、デジタルカメラ、バーコードリーダ、テレビ電話等の機能を備えたものが既に実用化されている。
【０００３】
デジタルカメラ機能を備えた携帯電話は、普及型のデジタルカメラの性能に匹敵するレベルにあり、出張、行楽等にデジタルカメラを持参せずに済むという便利さがある。
【０００４】
通常、デジタルカメラや携帯電話で撮影した画像は、これらとパーソナルコンピュータ（以下、「ＰＣ」という。）とをケーブルで接続してＰＣに取り込むか、デジタルカメラや携帯電話に装着されているメモリカードをＰＣのスロットに装填して読み取ることで、ＰＣに接続したプリンタにより所定の用紙にプリントすることができる。
【０００５】
しかし、旅行先や出張先でプリントして見たいときには、ＰＣを利用することができない。最近では、カメラ店、写真店、量販店等にプリント装置が設置され、デジタルカメラ、カメラ付き携帯電話等を店舗に持ち込み、本体をプリント装置に接続し、或いはメモリカードを取り出してプリント装置に装填することにより、撮影した画像データによるプリントを行うサービスが普及しつつある。
【０００６】
また、コンビニエンスストア、インターネットカフェ等に設置された無線ＬＡＮ（Local Area Network）通信機器を介して、ＰＣ等から電子メールにより画像データを注文情報とともに写真店等に設置されたプリント注文装置に送信することでプリントを注文でき、更に、プリントが終了すると、プリント完了を電子メールアドレスに通知し、さらに、予め指定した場所にプリントを配送する手配を行う注文装置が知られている（例えば、特許文献１参照。）。
【特許文献１】特開２００４−６２５２５号公報（［００４５］〜［００８６］、図２〜図５）
【発明の開示】
【発明が解決しようとする課題】
【０００７】
しかし、従来の携帯型情報機器によると、店舗に出向いてプリントを依頼するとき、依頼の段階でプリントが終了する時刻を知ることができないため、予め指定された出来上がり時刻に再度店舗に受け取りに出向くか、プリントが終了するまで待たなければならず、他に用事がある場合でも、時間を有効利用することができないという問題がある。
【０００８】
また、店舗の近くでＰＣ等から電子メールによりプリントを依頼した場合でも、終了通知は、使用頻度が高く、どこでも気軽にチェックが行える携帯電話にではなく、ＰＣ等に電子メールで行われるため、実用性に乏しい。
【０００９】
従って、本発明の目的は、店舗等に設置したプリンタによるプリント終了が、利用者へ速やかに通知されるようにした携帯型情報通信装置を提供することにある。
【課題を解決するための手段】
【００１０】
本発明は、上記の目的を達成するため、画像等の記録データを格納する記憶部と、
前記記録データと、前記記録データの処理内容および処理完了後の通知に関する連絡先情報とを送信先に出力し、前記送信先から処理完了の通知を前記連絡先情報に基づく通信経路で受信する通信部とを有することを特徴とする携帯型情報通信装置を提供する。
【発明の効果】
【００１１】
本発明の携帯型情報通信装置によれば、送信先での処理完了時に終了通知が送信されるため、利用者は、送信先での処理が終了したことを速やかに知ることができ、時間を有効利用することができる。
【発明を実施するための最良の形態】
【００１２】
（発明の実施の形態）
図１は、本発明の実施の形態に係るプリントシステムのブロック図であり、図２は携帯型情報通信機器の構成を示すブロック図である。
【００１３】
（プリントシステムの構成）
このプリントシステム１は、無線ＬＡＮ等の通信インターフェースを備え、利用者が所持する携帯型情報通信機器１０と、利用者が所持する携帯型情報機器としてのデジタルカメラ１１と、カメラ店、写真店等に設置されて携帯型情報通信機器１０またはデジタルカメラ１１に格納された画像データを紙等にプリントを行うプリンタ１２と、プリンタ１２に接続された公衆電話回線１３と、公衆電話回線１３に接続されるとともに無線により携帯型情報通信機器１０との通信を行う携帯電話基地局１４とを有する。なお、上記したプリントシステムを利用することのできるデバイスとして、携帯型情報通信機器１０の他に、ＰＣ、携帯電話等の通信インターフェースを搭載または接続して使用可能な電子機器がある。
【００１４】
携帯型情報通信機器１０は、図２に示すように各部の動作を制御する制御部１００と、データおよびプログラムを格納するメモリ１０１と、無線ＬＡＮ等の公衆無線サービスまたはブルートゥース（Bluetooth）の通信方式に基づいて無線通信を行う無線通信部１０２と、送受信部に接続されたアンテナ１０２ａと、有線により外部との通信を行うインターフェース部１０３と、操作者による入力操作を行うための操作スイッチ１０４ａ，１０４ｂとを備えた操作スイッチ部１０４と、タッチパネル機能を備えた液晶表示部１０５と、カメラ部１０６と、フラッシュメモリ等のメモリカード１５を挿抜するカードスロット１０７とがバス１０９によって接続された構成を有する。カメラ部１０６で撮影した画像は、内蔵のメモリ、或いはメモリカード１５に保存することができるように構成されており、ＢＩＰ（Basic Imaging Profile）により画像データの転送を行うことができる。画像データ等のデータ送信時には、送信者を特定するため、プリント終了通知の連絡先情報としての無線通信環境情報、電子メールアドレス、電話番号、氏名、プリントの枚数、サイズ、代金支払い方法等のデータが送信される。
【００１５】
また、携帯型情報通信機器１０は、公衆電話回線１３を介して音声通話およびデータ通信を行うための電話機能部１０８およびアンテナ１０８ａを有している。
【００１６】
デジタルカメラ１１は、光学レンズ、ＣＣＤ、内蔵メモリ、ＣＰＵ等を備えて構成され、さらに撮影した画像を保存するためのメモリカード１６が着脱できるように構成されている。
【００１７】
プリンタ１２は、携帯型情報通信機器１０との間で無線ＬＡＮ、ＵＷＢ(Ultra Wide Band)、ブルートゥース等の無線方式により無線通信を行う無線部１２ａと、この無線部１２ａの送受信回路に接続されたアンテナ１２ｂと、携帯型情報通信機器１０、デジタルカメラ１１からの画像データにより、ユーザが指定したサイズおよび紙質のプリント用紙に、指定の枚数をプリントする印刷部１２ｃとを備える。また、プリンタ１２は、公衆電話回線１３を介して携帯電話基地局１４と接続し、携帯型情報通信機器１０を呼び出す機能を備えている。無線部１２ａは、ブルートゥースモジュールを備え、携帯型情報通信機器１０との間でＢＩＰによる画像データの転送を行う機能を備える。
【００１８】
プリンタ１２は、更に、携帯型情報通信機器１０やデジタルカメラ１１に装着されていたメモリカード１５，１６を着脱自在に装着する挿入口を備え、メモリカード１５，１６から画像データを取り込む機能、プリントサイズ、紙か布等の素材、紙質、枚数、呼び出し希望の電話番号等の利用者情報を指定するための操作部を備えている。
【００１９】
携帯電話基地局１４は、所定の通信半径の通信エリアを有する無線通信設備であり、アンテナ１４ａを備え、携帯型情報通信機器１０からの呼に対する応答、および他者からの呼に対して携帯型情報通信機器１０の呼び出しを行う機能を有する。
【００２０】
（プリントシステムの動作）
図３は、図１および図２に示すプリントシステムの動作を示すフローチャートである。図４は、本発明の実施の形態における携帯型情報通信機器とプリンタの間の接続時および通信時の動作フロー図である。以下に、ブルートゥースによる無線通信に基づいて携帯型情報通信機器１０からプリンタ１２にアクセスし、プリント依頼を行う場合について説明する。なお、図３におけるＳは、ステップを表している。
【００２１】
まず、写真店等でプリントを行おうとする利用者は、店内または店にブルートゥースが到達可能な距離から携帯型情報通信機器１０を操作し、ブルートゥースによるプリンタ１２との通信が可能か否かを検索する（Ｓ１０１）。
【００２２】
プリンタ１２は、携帯型情報通信機器１０からの検索に応答し（Ｓ１０２）、携帯型情報通信機器１０に対して返信を行う（Ｓ１０３）。これにより、携帯型情報通信機器１０は、プリンタ１２がブルートゥースにより利用できることを認識する（Ｓ１０４）。
【００２３】
なお、一定時間が経過しても応答が得られない場合、携帯型情報通信機器１０は、その旨を液晶表示部１０５に文字表示あるいは画像等のメッセージで表示する。この場合、利用者は、携帯型情報通信機器１０のカードスロット１０７からメモリカード１５を抜き取り、プリンタ１２の挿入口に挿入し、プリンタ１２の使用法に従って操作をし、プリントを依頼する。
【００２４】
携帯型情報通信機器１０は、Ｓ１０４でプリンタ１２からの返信を確認すると、図４（ａ）に示すように、プリンタ１２に対して画像データを送信するための接続要求を送信する（Ｓ１０５）。プリンタ１２は、携帯型情報通信機器１０からの接続要求を受信すると（Ｓ１０６）、ビジー状態等にあるときを除き、接続要求を許可する信号を携帯型情報通信機器１０へ送信する（Ｓ１０７）。
【００２５】
携帯型情報通信機器１０は、接続要求を許可する信号を受信すると（Ｓ１０８）、携帯型情報通信機器１０が保有する連絡先情報を自動的に送信する（Ｓ１０９）。プリンタ１２は、携帯型情報通信機器１０から連絡先情報を受信すると（Ｓ１１０）、連絡先情報を受信した旨の信号を携帯型情報通信機器１０へ通知する（Ｓ１１１）。この通知を受信（Ｓ１１２）した携帯型情報通信機器１０は、内蔵されたメモリまたはカードスロット１０７に挿入されたメモリカード１５に保存されている画像データを読み出してプリンタ１２に送信する（Ｓ１１３）。このとき、プリントサイズ、プリント枚数、紙質等のデータも送信する。
【００２６】
プリンタ１２は、携帯型情報通信機器１０から画像データを受信し（Ｓ１１４）、受信完了後に受信が完了した旨の通知を携帯型情報通信機器１０へ送信する（Ｓ１１５）。携帯型情報通信機器１０は、受信完了の通知を受信すると（Ｓ１１６）、ブルートゥースによる通信の切断要求をプリンタ１２へ送信する（Ｓ１１７）。プリンタ１２は、切断要求を受信すると（Ｓ１１８）、通信を切断する（Ｓ１１９）。
【００２７】
通信切断後、利用者は、プリントが終了するまで、店内で待つことも、別の店でショッピングをして時間を過ごすことができる。
【００２８】
プリンタ１２は、通信切断後（Ｓ１１９）、指定のサイズ、紙質、枚数等によりプリントを実施する（Ｓ１２０）。プリンタ１２は、プリントが終了すると、プリント終了を利用者に知らせるため、図４（ｂ）に示すように、ブルートゥースによる携帯型情報通信機器１０の呼び出しを行う。
【００２９】
ブルートゥースの通信可能範囲は、最大で１００ｍ程度の距離であり、かつ周囲の状況に応じて変動するため、利用者が店から離れていると、通信圏内１７の外になり、通信できない場合がある。呼び出しに対して一定時間応答がないとき、プリンタ１２は、ブルートゥースによる携帯型情報通信機器１０の呼び出しを中止し、図４（ｃ）に示すように、Ｓ１１０で受信した連絡先情報の電話番号に公衆電話回線１３を介して発信する（Ｓ１２１）。携帯電話基地局１４は、プリンタ１２の発信に基づいて移動通信網を介して携帯型情報通信機器１０の呼び出しを行う。利用者が呼び出しに応じて携帯型情報通信機器１０を受信状態にすると、プリンタ１２から送信されたプリント終了を告げる音声メッセージが終了通知として再生される。
【００３０】
なお、連絡先情報として電子メールアドレスが通知されており、終了通知の方法として指定されている場合には、電話による音声メッセージの送信ではなく、電子メールで終了通知を送信することもできる。
【００３１】
利用者は、所持した携帯型情報通信機器１０によりブルートゥースまたは携帯電話基地局１４を介して終了通知を受信すると（Ｓ１２２）、プリントを依頼した店舗へ出向き、プリントされた写真を受けとるとともに、代金の支払いを行う。
【００３２】
（発明の実施の形態の効果）
上記した実施の形態によれば、以下の効果を奏する。
（１）プリントの終了に基づいてプリンタ１２から送信されるプリント終了の通知を複数の通信経路のいずれかを介して携帯型情報通信機器１０に送信するようにしたので、第１の通信経路による通知が困難な場合でも第２またはその他の通信経路を介して携帯型情報通信機器１０に的確かつ速やかにプリント終了を通知することができる。
【００３３】
（２）プリンタ１２から利用者に的確かつ速やかにプリント終了の通知がなされるので、プリンタ１２を保有する店舗側から利用者への通知もれや通知不可といった連絡上の問題が生じることを防げる。
【００３４】
（３）利用者の携帯型情報通信機器１０に通知してもらうための手続きは、自動で行われるので、利用者は面倒な操作を行わせずに済み、気軽にプリンタ１２を利用することができる。
【００３５】
なお、上記した実施の形態においては、携帯型情報通信機器１０とプリンタ１２の間の通信をブルートゥースにより行うものとしたが、通信可能な電子機器としてノート型パソコン等を用いた場合には、ブルートゥースの他に無線ＬＡＮ等の他の通信規格に基づいて通信を行うことができる。
【００３６】
なお、本発明は、上記した実施の形態に限定されず、その要旨を変更しない範囲内で種々な変形が可能である。例えば、プリンタ１２によるプリントは、紙のほか、シャツ、ハンカチ等の紙以外の媒体であってもよい。
【００３７】
また、携帯型情報通信機器１０からプリンタ１２に伝送するデータは、画像データに限定されるものではなく、文書等のテキストデータであってもよい。
【図面の簡単な説明】
【００３８】
【図１】本発明の実施の形態に係るプリントシステムのブロック図である。
【図２】携帯型情報通信機器の構成を示すブロック図である。
【図３】図１および図２に示すプリントシステムの動作を示すフローチャートである。
【図４】本発明の実施の形態における携帯型情報通信機器とプリンタの間の接続時および通信時の動作フロー図である。
【符号の説明】
【００３９】
１…プリントシステム、１０…携帯型情報通信機器、１１…デジタルカメラ、１２…プリンタ、１２ａ…無線部、１２ｂ…アンテナ、１２ｃ…印刷部、１３…公衆電話回線、１４…携帯電話基地局、１４ａ…アンテナ、１５…メモリカード、１６…メモリカード、１７…通信圏、１００…制御部、１０１…メモリ、１０２ａ…アンテナ、１０２…無線通信部、１０３…インターフェース部、１０４ａ，１０４ｂ…操作スイッチ、１０４…操作スイッチ部、１０５…液晶表示部、１０６…カメラ部、１０７…カードスロット、１０８ａ…アンテナ、１０８…電話機能部、１０９…バス
【図１】
2006186942.tif 000003
【図２】
2006186942.tif 000004
【図３】
2006186942.tif 000005
【図４】
2006186942.tif 000006